(57)【要約】【課題】  機器の異常な温度上昇を防止するために、温度過昇防止サーモスタット等の過熱保護部品が用いられる。しかし、この保護温度は一定であった。【解決手段】  本発明は、保護温度の異なる温度過昇防止サーモスタット(6,7,8)を複数備え、この複数の温度過昇防止サーモスタット(6,7,8)を選択的に切り替える選択機構(9)を備える温度過昇防止装置である。また、本発明は、内部(2)の温度を検出する温度センサ(4)と、この温度センサ(4)の出力に応じて前記内部(2)の温度が所定の温度になるように加熱手段(3)の加熱を制御する制御部(10,12)と、前記内部(2)の温度に応じて前記加熱手段(3)の加熱を停止させる温度過昇防止サーモスタット(6,7,8)とを備える加熱装置(1)において、前記温度過昇防止サーモスタット(6,7,8)の保護温度を選択できる加熱装置である。【選択図】  図２
2008191724.tif 000002
【特許請求の範囲】
【請求項１】
保護温度の異なる温度過昇防止サーモスタット(6,7,8)を複数備え、この複数の温度過昇防止サーモスタット(6,7,8)を選択的に切り替える選択機構(9)を備える温度過昇防止装置。
【請求項２】
内部(2)の温度を検出する温度センサ(4)と、この温度センサ(4)の出力に応じて前記内部(2)の温度が所定の温度になるように加熱手段(3)の加熱を制御する制御部(10,12)と、前記内部(2)の温度に応じて前記加熱手段(3)の加熱を停止させる温度過昇防止サーモスタット(6,7,8)とを備える加熱装置(1)において、
前記温度過昇防止サーモスタット(6,7,8)の保護温度を選択できることを特徴とする加熱装置。
【請求項３】
内部(2)の温度を検出する温度センサ(4)と、この温度センサ(4)の出力に応じて前記内部(2)の温度が設定された温度になるように加熱手段(3)の加熱量を制御する制御部(10,12)と、前記内部(2)の温度に応じて前記加熱手段(3)の加熱を停止させる温度過昇防止サーモスタット(6,7,8)とを備える加熱装置(1)において、
前記温度過昇防止サーモスタット(6,7,8)は、保護温度の異なるものが複数設けられ、これをスイッチ(9)で選択的に切替えて保護温度を選択できる加熱装置。
【請求項４】
内部(2)の温度を検出する温度センサ(4)と、この温度センサ(4)の出力に応じて前記内部(2)の温度が設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、
前記温度過昇防止サーモスタット(6,7,8)は、保護温度の異なるものが複数設けられ、これをスイッチ(9)で選択的に切替えて保護温度を選択設定でき、
前記制御部(12)は、前記保護温度の選択設定に連動して、前記内部(2)の温度が前記選択設定された前記保護温度にならないように前記庫内(2)の温度制御を行うことを特徴とする加熱装置。
【請求項５】
内部(2)の温度を検出する温度センサ(4)と、この温度センサ(4)の出力に応じて前記内部(2)の温度が操作部(11)により設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、
前記温度過昇防止サーモスタット(6,7,8)は、保護温度の異なるものが複数設けられ、これをスイッチ(9)で選択的に切替えて保護温度を選択設定でき、
前記制御部(12)は、前記保護温度の選択設定に連動して、前記操作部(11)により設定可能な温度範囲を制限することを特徴とする加熱装置。
【請求項６】
内部(2)の温度を検出する温度センサ(4)と、この温度センサ(4)の出力に応じて前記内部(2)の温度が操作部(11)により設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、
前記温度過昇防止サーモスタット(6,7,8)は、保護温度の異なるものが複数設けられ、これをスイッチ(9)で選択的に切替えて保護温度を選択設定でき、
前記制御部(12)は、前記選択設定された保護温度の近傍値以上の温度が前記操作部(11)により設定された場合にこれを報知する報知手段(13)を備えることを特徴とする加熱装置。
【請求項７】
内部(2)の温度を検出する温度センサ(4)と、この温度センサ(4)の出力に応じて前記内部(2)の温度が操作部(11)により設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、
前記温度過昇防止サーモスタット(6,7,8)は、保護温度の異なるものが複数設けられ、これをスイッチ(9)で選択的に切替えて保護温度を選択設定でき、
前記制御部(12)は、前記選択設定された保護温度の近傍値以上の温度が前記操作部(11)により設定された場合に滅菌動作を行わないことを特徴とする加熱装置。
【請求項８】
乾燥滅菌器であることを特徴とする請求項２〜請求項７のいずれか一項に記載された加熱装置。
【発明の詳細な説明】
【技術分野】
【０００１】
本発明は、加熱装置の異常温度上昇を防止する温度過昇防止装置、及び、この温度過昇防止装置が搭載された加熱装置に関する。特に、本発明は、医療関係の実験・検査の前及び／又は後に医療用器具を加熱して滅菌するための乾熱滅菌器に関する。
【背景技術】
【０００２】
一般の加熱装置では、温度上昇による事故防止のために、温度過昇防止装置が取り付けられている（特許文献１参照）。この温度過昇防止装置は、異常に温度が上昇した時（保護温度）に、更なる温度上昇を防止するものである。例えば、保護温度になると、これを温度ヒューズ・温度過昇防止サーモスタット等の過熱保護部品が検知して、加熱手段への電源電圧の供給を停止してしまうものである。この保護温度は、機器に応じて決定されている。
【特許文献１】特開平７−１１０１５０号公報
【発明の開示】
【発明が解決しようとする課題】
【０００３】
しかしながら、従来においては、保護温度は決まっており、不便であった。
【課題を解決するための手段】
【０００４】
本発明は、保護温度の異なる温度過昇防止サーモスタット(6,7,8)を複数備え、この複数の温度過昇防止サーモスタット(6,7,8)を選択的に切り替える選択機構(9)を備える温度過昇防止装置である。
【０００５】
また、本発明は、内部(2)の温度を検出する温度センサ(4)と、この温度センサ(4)の出力に応じて前記内部(2)の温度が所定の温度になるように加熱手段(3)の加熱を制御する制御部(10,12)と、前記内部(2)の温度に応じて前記加熱手段(3)の加熱を停止させる温度過昇防止サーモスタット(6,7,8)とを備える加熱装置(1)において、前記温度過昇防止サーモスタット(6,7,8)の保護温度を選択できる加熱装置であることを特徴とする。
【０００６】
また、本発明は、内部(2)の温度を検出する温度センサ(4)と、この温度センサ(4)の出力に応じて前記内部(2)の温度が設定された温度になるように加熱手段(3)の加熱量を制御する制御部(10,12)と、前記内部(2)の温度に応じて前記加熱手段(3)の加熱を停止させる温度過昇防止サーモスタット(6,7,8)とを備える加熱装置(1)において、前記温度過昇防止サーモスタット(6,7,8)は、保護温度の異なるものが複数設けられ、これをスイッチ(9)で選択的に切替えて保護温度を選択できる加熱装置であることを特徴とする。
【０００７】
また、本発明は、内部(2)の温度を検出する温度センサ(4)と、この温度センサ(4)の出力に応じて前記内部(2)の温度が設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、前記温度過昇防止サーモスタット(6,7,8)は、保護温度の異なるものが複数設けられ、これをスイッチ(9)で選択的に切替えて保護温度を選択設定でき、前記制御部(12)は、前記保護温度の選択設定に連動して、前記内部(2)の温度が前記選択設定された前記保護温度にならないように前記庫内(2)の温度制御を行うことを特徴とする。
【０００８】
また、本発明は、内部(2)の温度を検出する温度センサ(4)と、この温度センサ(4)の出力に応じて前記内部(2)の温度が操作部(11)により設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、前記温度過昇防止サーモスタット(6,7,8)は、保護温度の異なるものが複数設けられ、これをスイッチ(9)で選択的に切替えて保護温度を選択設定でき、前記制御部(12)は、前記保護温度の選択設定に連動して、前記操作部(11)により設定可能な温度範囲を制限することを特徴とする。
【０００９】
また、本発明は、内部(2)の温度を検出する温度センサ(4)と、この温度センサ(4)の出力に応じて前記内部(2)の温度が操作部(11)により設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、前記温度過昇防止サーモスタット(6,7,8)は、保護温度の異なるものが複数設けられ、これをスイッチ(9)で選択的に切替えて保護温度を選択設定でき、前記制御部(12)は、前記選択設定された保護温度の近傍値以上の温度が前記操作部(11)により設定された場合にこれを報知する報知手段(13)を備えることを特徴とする。
【００１０】
また、本発明は、内部(2)の温度を検出する温度センサ(4)と、この温度センサ(4)の出力に応じて前記内部(2)の温度が操作部(11)により設定された温度になるように加熱手段(3)の加熱量を制御する制御部(12)と、前記内部(2)の温度に応じて前記加熱手段(3)の加熱を停止させる温度過昇防止サーモスタット(6,7,8)とを備える加熱装置(1)において、前記温度過昇防止サーモスタット(6,7,8)は、保護温度の異なるものが複数設けられ、これをスイッチ(9)で選択的に切替えて保護温度を選択設定でき、前記制御部(12)は、前記選択設定された保護温度の近傍値以上の温度が前記操作部(11)により設定された場合に滅菌動作を行わないことを特徴とする。
【００１１】
また、本発明は、上述した加熱装置が、乾燥滅菌器であることを特徴とする。
【発明の効果】
【００１２】
本発明によれば、保護温度を切替えることが可能となる。
【発明を実施するための最良の形態】
【００１３】
本発明の温度過昇防止装置は、異常上昇検出温度の異なる温度過昇防止サーモスタットを複数備え、この複数の温度過昇防止サーモスタットを選択的に切り替える選択機構を備える。
【００１４】
また、本発明は、内部の温度を検出する温度センサと、この温度センサに応じて前記内部の温度が所定の温度になるように加熱手段の加熱量を制御する制御部と、前記内部の温度の異常上昇を検出すし前記加熱手段の加熱を停止させる温度過昇防止サーモスタットとを備える加熱装置において、前記温度過昇防止サーモスタットの異常上昇検出温度を選択できることを特徴とする。
【実施例１】
【００１５】
本発明の実施例１を図１を参照しつつ説明する。図１の１は加熱装置であり、具体的には、乾熱滅菌装置である。２は、装置の庫内（内部）であり、高温で滅菌（殺菌）したい医療関係用具が、収納される。３は、庫内２を加熱する加熱ヒータである。４は、庫内温度を検出するための温度センサである。５は温度過昇防止装置であり、例えば、３つの温度過昇防止サーモスタット６，７、８と、庫外の装置表面に設けられた切替スイッチ９とからなる。この３つの温度過昇防止サーモスタット６，７、８は、それぞれ１００℃、２００℃、３００℃が保護温度であり、庫内がその温度になると、加熱ヒータ３の電源供給を停止させる。１０は、庫内温度を制御する温度制御部である。１１は、温度設定と滅菌時間を設定する操作部である。
【００１６】
この乾熱滅菌装置１について、説明する。使用者は、操作部１１を操作して所望の庫内温度と滅菌時間を設定する。
【００１７】
例えば、１８０℃で２０分に設定する。これにより、制御部１０は、庫内２が平均１８０℃になるように、加熱ヒータ３に電源を供給する。滅菌が開始されると、制御部１０は、温度センサ４からの信号により、庫内温度を検出し、庫内温度が１８０℃を越えると時間カウントを開始する。そして、庫内温度が１９０℃を越えると、加熱ヒータ３への電源供給をオフとし、庫内温度が降下して、１７０℃以下になると再度加熱ヒータ３への電源供給を再びオンとする。これにより、庫内２は、約１８０℃にコントロールされる。そして、時間カウントが２０分を計測すると、終了である。
【００１８】
上記のような、滅菌のためには、庫内温度は高温の方がよく、高温であれば、所用時間も短くてすむ。しかし、滅菌したい医療関係用具の材料としては、金属・ガラスだけでなく、紙・プラスチック・ゴム・布等もある。このため、使用者は、庫内２に納める医療関係用具の耐熱性を考慮して、滅菌時の庫内温度・滅菌時間・切替スイッチ８の選択位置を設定する。
【００１９】
ここで、使用者が、切替スイッチ８を操作して、２００℃の温度過昇防止サーモスタット７を選択したものとする。これにより、庫内２温度が２００℃を超えて上昇すると、温度過昇防止サーモスタット７が動作して、加熱ヒータ２の発熱が強制的に停止される。これにより、滅菌のために庫内２に収納した医療関係用具が、高温により破損変形するのを防止でき、庫内２の医療関連用具を保護することができる。
【００２０】
なお、上記実施例１では、説明を簡単にするために、温度過昇防止サーモスタットによる保護温度を、１００℃、２００℃、３００℃としたが、当然、これは適用される機器とその使い方に応じて適宜決められるものである。
【実施例２】
【００２１】
本発明の実施例２を図２を参照しつつ説明する。尚、図２において、図１と同一部分には、同一符号を付して説明を省略する。
【００２２】
１３は切替スイッチ９の設定を検知するための連動機構であり、切替スイッチ９の選択位置を制御部１２に伝えるためのものである。制御部１２は、実施例１と同様に庫内１温度を制御する制御部である。この制御部１２が、実施例１と異なる点は、切替スイッチ９の選択位置を入力して、これに応じて、制御内容を変更することである。
【００２３】
この乾熱滅菌装置１について、説明する。使用者は、操作部１１を操作して所望の庫内温度と滅菌時間を設定する。例えば、１９０℃で１５分に設定する。これにより、制御部１２は、庫内２が平均１９０℃になるように、加熱ヒータ３に電源を供給する。制御部１２は、温度センサ４からの信号により、庫内温度を検出し、滅菌開始後に庫内温度が１９０℃を越えると時間カウントを開始する。そして、庫内温度が２００℃を越えると、加熱ヒータへの電源供給をオフとする。庫内温度が下降し、１８０℃以下になると加熱ヒータ３への電源供給を再びオンとする。これにより、庫内１は、約１９０℃にコントロールされる。そして、時間カウントが１５分をカウントすると、終了である。
【００２４】
しかしながら、これは、使用者が、切替スイッチ９を操作して、３００℃の温度過昇防止サーモスタット８を選択した場合である。制御部１２は、切替スイッチ９の選択が、３００℃の温度過昇防止サーモスタット８であることを、連動機構１３からの信号により検知する。
【００２５】
しかし、使用者が、切替スイッチ９を操作して、２００℃の温度過昇防止サーモスタット７を選択した場合は、制御部１２は、切替スイッチ９の選択が、２００℃の温度過昇防止サーモスタット７であることを、連動機構１３からの信号により検知している。制御部１２は、滅菌動作が開始されると、加熱ヒータ３に電源を供給する。制御部１２は、温度センサ４からの信号により、庫内温度を検出し、庫内温度が１９０℃を越えると時間カウントを開始する。そして、庫内温度が１９５℃を越えると、加熱ヒータ３への電源供給をオフとし、庫内温度が下降し、１８５℃以下になると加熱ヒータ３への電源供給を再びオンとする。これにより、庫内１は、約１９０℃にコントロールされる。そして、時間カウントが１５分をカウントすると、終了である。このように、切替スイッチ９の選択に連動して、この選択された保護温度より、庫内２の温度が上昇しないように制御を行っている。
【００２６】
また、使用者が、切替スイッチ９を操作して、１００℃の温度過昇防止サーモスタット６を選択した場合は、制御部１２は、切替スイッチ９の選択が、１００℃の温度過昇防止サーモスタット６であることを、連動機構１３からの信号により検知し、滅菌動作が開始されると、加熱ヒータ３に電源を供給する。制御部１２は、温度センサ４からの信号により、庫内温度を検出し、庫内温度が９５℃を越えないように、加熱ヒータ３への電源供給を制限する。このように、この実施例２では、温度過昇防止サーモスタット６，７，８の切替スイッチ９の選択に応じて、制御部１２における庫内温度に制限を加えることとなる。
【００２７】
なお、この１００℃の温度過昇防止サーモスタット６を使用者が選択し、操作部１１により滅菌時の庫内温度を１９０℃と設定することには矛盾があるので、制御部１２は、これを使用者に報知する報知手段１３を備えている。この報知手段１３は、ブザー等の音響手段、及び／又は、点滅灯等の表示手段である。また、この矛盾の発生時には、滅菌動作を開始しないようにしてもよい。
【実施例３】
【００２８】
上記実施例２では、上述したように、切替スイッチ９の選択と、操作部１１で設定した滅菌時の庫内温度には、矛盾が発生するおそれがあった。これに対応した実施例３を、図３を参照しつつ説明する。尚、この実施例３の乾熱滅菌装置１の構成は図２と同一である。
【００２９】
この実施例３の乾熱滅菌装置１は、操作部１１をデジタル入力としている。そして、切替スイッチ９の選択に応じて、操作部１１で設定できる庫内温度が図３の如く、制限される。
【００３０】
これにより、矛盾するような庫内温度は、設定できなくなる。
【実施例４】
【００３１】
切替スイッチ９の選択により、操作部１１で設定可能な庫内温度を制限することに関して、図４に他の例を示した。
【図面の簡単な説明】
【００３２】
【図１】本発明の実施例１の乾熱滅菌器の構成を示す図である。
【図２】本発明の実施例２の乾熱滅菌器の構成を示す図である。
【図３】本発明の実施例３の乾熱滅菌器の動作制御を説明するため図である。
【図４】本発明の実施例４の乾熱滅菌器の動作制御を説明するため図である。
【符号の説明】
【００３３】
１・・・・乾熱滅菌器（加熱装置）、
２・・・・庫内（内部）、
３・・・・加熱ヒータ（加熱手段）、
４・・・・温度センサ、
５・・・・温度過昇防止装置、
６・・・・温度過昇防止サーモスタット（保護温度が１００℃）、
７・・・・温度過昇防止サーモスタット（保護温度が２００℃）、
８・・・・温度過昇防止サーモスタット（保護温度が３００℃）、
９・・・・切替スイッチ（スイッチ、選択機構）、  
１０・・・・制御部（実施例１）、
１１・・・・操作部、
１２・・・・制御部（実施例２，３，４）
１３・・・・報知手段（音響手段・表示手段）。
【図１】
2008191724.tif 000003
【図２】
2008191724.tif 000004
【図３】
2008191724.tif 000005
【図４】
2008191724.tif 000006